(57)【特許請求の範囲】
【請求項１】
湯水混合水栓の給水栓本体から構成される第１水栓部品と給湯配管及び給水配管から構成される第２水栓部品とをそれぞれ接続するとともに、該第１水栓部品側に接続される第１水栓部品側接続部と該第１水栓部品側接続部の軸心から偏芯されて連設される第２水栓部品側接続部を備えてクランク状に屈曲形成された配管部材の接続構造であって、
前記第１水栓部品には前記配管部材と連通接続するための湯側及び水側の配管部材側接続部が設けられ、該配管部材側接続部には第１鍔部がそれぞれ設けられ、
前記配管部材の前記第１水栓部品側接続部には第２鍔部がそれぞれ設けられ、
前記配管部材側接続部と前記第１水栓部品側接続部は、前記第１鍔部と前記第２鍔部とが当接した状態で、シール部材を介在して回動自在に互いに挿嵌接続可能に設け、
前記配管部材の前記第１水栓部品側接続部を軸心にして前記配管部材を回動して、前記給湯配管及び給水配管の間隔に合せて、前記配管部材の前記第２水栓部品側接続部間の間隔を調整可能な状態で、前記第１鍔部と前記第２鍔部とに係止されて前記配管部材側接続部と前記第１水栓部品側接続部との抜脱を規制する係止具が備えられたことを特徴とする配管部材の接続構造。
【請求項２】
湯水混合水栓の給水栓本体から構成される第１水栓部品と給湯配管及び給水配管から構成される第２水栓部品とをそれぞれ接続するとともに、該第１水栓部品側に接続される第１水栓部品側接続部と該第１水栓部品側接続部の軸心から偏芯されて連設される第２水栓部品側接続部を備えてクランク状に屈曲形成された配管部材の接続構造であって、
前記第１水栓部品には前記配管部材と連通接続するための湯側及び水側の配管部材側接続部が設けられ、該配管部材側接続部には第１鍔部がそれぞれ設けられ、
前記配管部材の前記第１水栓部品側接続部には第２鍔部がそれぞれ設けられ、
前記配管部材側接続部と前記第１水栓部品側接続部は、前記第１鍔部と前記第２鍔部とが当接した状態で、シール部材を介在して回動自在に互いに挿嵌接続可能に設け、
前記配管部材の前記第１水栓部品側接続部を軸心にして前記配管部材を回動して、前記給湯配管及び給水配管の間隔に合せて、前記配管部材の前記第２水栓部品側接続部間の間隔を調整可能な状態で、前記第１鍔部と前記第２鍔部とに係止されて前記配管部材側接続部と前記第１水栓部品側接続部との抜脱を規制する係止具が備えられ、
前記第１鍔部と前記第２鍔部の一方には挿通孔が設けられ、他方には前記挿通孔に向かいあう位置に複数のビス孔が設けられ、前記挿通孔を何れかのビス孔と向い合せてビスを挿通することで、前記第１鍔部に対する前記第２鍔部の角度を調節して前記第１水栓部品と前記第２水栓部品とを固定可能としたことを特徴とする配管部材の接続構造。
【請求項３】
前記係止具が、前記配管部材側接続部の外周の略半周ないし略全周を抱持する第１抱持部と前記第１水栓部品側接続部の外周の略半周ないし略全周を抱持する第２抱持部と、これら両抱持部を連設する連設部とを備えるとともに、前記第１抱持部及び第２抱持部を弾性的に拡開可能としたことを特徴とする請求項１または請求項２に記載の配管部材の接続構造。
【請求項４】
前記係止具が、金属製の線材からなることを特徴とする請求項３に記載の配管部材の接続構造。
【発明の詳細な説明】
【技術分野】
【０００１】
本発明は、給水栓本体等と給湯配管・給水配管等の水栓部品同士を接続する際に用いる配管部材の接続構造に関し、特に、二つの配管部材を用いてこれらの水栓部品を接続する際に、二つの配管部材間の間隔を調整する必要が生ずる配管部材の接続構造に関する。
【背景技術】
【０００２】
給水栓本体等と給湯配管・給水配管等の水栓部品同士を接続する配管部材の接続構造は種々のものが用いられている。このうち、例えば、湯側接続口と水側接続口とを備えた湯水混合水栓本体と、浴室のデッキ面裏側に引き回された給水配管・給湯配管とを接続する場合のように、これらの水栓部品の湯側・水側のそれぞれを二つの配管部材を用いて接続する態様において、給湯配管及び給水配管を挿通するためにデッキ面に開設された二つの取付孔の間隔に合わせて両配管部材の接続部の間隔を調整する必要が生ずることがある。ユニットバス等に設けられる取付孔の間隔は必ずしも画一的ではないため、水栓の設置現場の状況に応じて個別具体的に対応する必要が生ずるからである。
【０００３】
そこで、従来は、一端側の水栓本体側接続部に対して他端側の配管側接続部を偏芯させた略クランク状に形成されたソケットを用い、水栓本体の接続口に挿嵌された水栓本体側接続部を回転軸として配管側接続部を適宜量回動させ、二つのソケットの配管側接続部間の間隔を二つの取付孔間の間隔に対応させるように調整して、その後袋ナット等により固定することとしていた（例えば、特許文献１参照。）。
【先行技術文献】
【特許文献】
【０００４】
、
【特許文献１】実願昭５８−１７９４４７号（実開昭６０−８６６９１号のマイクロフィルム）（第１図）
【発明の概要】
【発明が解決しようとする課題】
【０００５】
しかしながら上記した従来の配管部材の接続構造では、袋ナットを緩めなければソケットを回動調整できないため、袋ナットが緩められたままの状態や袋ナットを取り外した状態で設置場所まで運ばれたり、回動調整時に袋ナットが緩められたり取り外されたりする。このため、運搬時や組み付け作業時に水栓本体の接続口やソケットに取り付けられたシール部材が外部に露呈されてしまい、シール部材にゴミなどの異物が付着したまま組み付けられたり、組み付け作業の際にシール部材に傷がついたりして、シール不良の一因となっていた。
【０００６】
本発明は上記した従来の配管部材の接続構造の問題点を解消するものであり、シール部材にゴミなどの異物が付着したり、シール部材が損傷したりするおそれを減少させ、シール不良を低減させることのできる配管部材の接続構造の提供を目的とする。
【課題を解決するための手段】
【０００７】
以上の課題を解決するために、本発明の採った手段を以下に説明する。本発明の配管部材の接続構造は、
湯水混合水栓の給水栓本体から構成される第１水栓部品と給湯配管及び給水配管から構成される第２水栓部品とをそれぞれ接続するとともに、該第１水栓部品側に接続される第１水栓部品側接続部と該第１水栓部品側接続部の軸心から偏芯されて連設される第２水栓部品側接続部を備えてクランク状に屈曲形成された配管部材の接続構造であって、
前記第１水栓部品には前記配管部材と連通接続するための湯側及び水側の配管部材側接続部が設けられ、該配管部材側接続部には第１鍔部がそれぞれ設けられ、
前記配管部材の前記第１水栓部品側接続部には第２鍔部がそれぞれ設けられ、
前記配管部材側接続部と前記第１水栓部品側接続部は、前記第１鍔部と前記第２鍔部とが当接した状態で、シール部材を介在して回動自在に互いに挿嵌接続可能に設け、
前記配管部材の前記第１水栓部品側接続部を軸心にして前記配管部材を回動して、前記給湯配管及び給水配管の間隔に合せて、前記配管部材の前記第２水栓部品側接続部間の間隔を調整可能な状態で、前記第１鍔部と前記第２鍔部とに係止されて前記配管部材側接続部と前記第１水栓部品側接続部との抜脱を規制する係止具が備えられたことを特徴とする配管部材の接続構造（請求項１）である。
【０００８】
本発明によれば、第１水栓部品に対して配管部材が回動自在に挿嵌されており、かつシール部材により水密が図られているので、係止具により抜け止めがなされた状態、すなわち組み付け状態において、第１水栓部品側接続部を軸心にして配管部材を回動することにより、第２水栓部品側接続部の軸心位置を変位させることができる。よって、例えば、湯水混合水栓と給湯配管・給水配管とを配管部材によって接続する場合などにおいては、湯水混合水栓に接続した湯側・水側の二つの配管部材の給湯配管・給水配管側の接続部の軸心位置を給湯配管・給水配管に合わせて容易に調節ができるとともに、湯水混合水栓と二つの配管部材とは組み付け状態となって挿嵌接続されているので、シール部材が外部に露呈せず、シール部材に異物が付着したり組み付け作業時に損傷するおそれを減少させることができる。
【０００９】
ここで本発明の「配管部材」としてはクランク状に屈曲形成された接続ソケットなどを例示することができる。「係止具」としては、第１鍔部と第２鍔部とを挟持固定するクリップなどを例示できるがこれに限られず、第１鍔部と第２鍔部とを係止することが可能であれば、第１水栓部品および配管部材と別部材であっても、または第１水栓部品または配管部材のいずれかの部品と一体であっても良い。
また、湯水混合水栓の給水栓本体から構成される第１水栓部品と給湯配管及び給水配管から構成される第２水栓部品とをそれぞれ接続するとともに、該第１水栓部品側に接続される第１水栓部品側接続部と該第１水栓部品側接続部の軸心から偏芯されて連設される第２水栓部品側接続部を備えてクランク状に屈曲形成された配管部材の接続構造であって、
前記第１水栓部品には前記配管部材と連通接続するための湯側及び水側の配管部材側接続部が設けられ、該配管部材側接続部には第１鍔部がそれぞれ設けられ、
前記配管部材の前記第１水栓部品側接続部には第２鍔部がそれぞれ設けられ、
前記配管部材側接続部と前記第１水栓部品側接続部は、前記第１鍔部と前記第２鍔部とが当接した状態で、シール部材を介在して回動自在に互いに挿嵌接続可能に設け、
前記配管部材の前記第１水栓部品側接続部を軸心にして前記配管部材を回動して、前記給湯配管及び給水配管の間隔に合せて、前記配管部材の前記第２水栓部品側接続部間の間隔を調整可能な状態で、前記第１鍔部と前記第２鍔部とに係止されて前記配管部材側接続部と前記第１水栓部品側接続部との抜脱を規制する係止具が備えられ、
前記第１鍔部と前記第２鍔部の一方には挿通孔が設けられ、他方には前記挿通孔に向かいあう位置に複数のビス孔が設けられ、前記挿通孔を何れかのビス孔と向い合せてビスを挿通することで、前記第１鍔部に対する前記第２鍔部の角度を調節して前記第１水栓部品と前記第２水栓部品とを固定可能としたことを特徴とする配管部材の接続構造（請求項２）としても良い。
【００１０】
また、前記係止具が、前記配管部材側接続部の外周の略半周ないし略全周を抱持する第１抱持部と前記第１水栓部品側接続部の外周の略半周ないし略全周を抱持する第２抱持部と、これら両抱持部を連設する連設部とを備えるとともに、前記第１抱持部及び第２抱持部を弾性的に拡開可能としたことを特徴とする請求項１または請求項２に記載の配管部材の接続構造（請求項３）としても良い。
【００１１】
このような係止具を用いることにより、係止具の取り付けをそれぞれの抱持部を各接続部にはめ込むだけで足り、取り付け作業を簡便に行うことができる。各抱持部は全周にわたって形成されていないので、取り付けが容易である一方、それぞれの接続部を抱持させることにより、抜け止めを確実に行うことができる。
【００１２】
前記係止具が、金属製の線材からなることを特徴とする請求項３に記載の配管部材の接続構造（請求項４）としても良い。
【００１３】
このような線材を用いることにより、材料を少なくし、また、ねじ加工なども必要なくすることができるので、材料費・加工費ともに抑えることができ低コストで係止具を製造することができる。さらに、係止具をコンパクトに形成することができ、取付スペースが小さくても組み込みがスムーズに行うことが可能である。
【００１５】
湯水混合水栓を給湯配管・給水配管に接続する際には、給湯配管・給水配管の先端に取り付けられ水栓側に接続するための端末具が、浴室やキッチンの壁面等に開設された取付孔を通じて水栓側に接続されることになる。したがって、取付孔の開設位置は予め正確な間隔で設けられる場合だけではなく、各設置現場において異なることも多い。よって、このような湯水混合水栓と給湯配管・給水配管とを接続するための配管部材の接続構造には、本発明を適用して間隔調整を可能とすることが特に好適である。
【発明の効果】
【００１６】
本発明は上記のように構成されることにより、第１水栓部品と配管部材とを組み付けたままで回動調整ができ、シール部材を外部に露呈することなく調整が可能なので、シール部材に異物が付着したり、シール部材の損傷のおそれを低減することができ、シール不良のおそれを減少させることができる。また、請求項３の接続構造では、装着が容易でかつ抜け止めを確実にすることもできる。また、請求項４の接続構造では、低コストで製造可能とすることもできる。
【図面の簡単な説明】
【００１７】
【図１】本発明の接続ソケット（配管部材）の接続構造の分解斜視図である。
【図２】本発明の接続ソケット（配管部材）の接続構造の正面視縦断面図である。
【図３】水栓本体の底面図である。
【図４】接続ソケット（配管部材）の平面図である。
【図５】水栓本体と接続ソケット（配管部材）の要部透視底面図である。
【図６】水栓本体と接続ソケット（配管部材）の要部斜視図である。
【図７】図６の状態から接続ソケット（配管部材）を右回りに４１．４度回転させた状態の水栓本体（第１水栓部品）と接続ソケット（配管部材）の要部斜視図である。
【図８】図６の状態から接続ソケット（配管部材）を右回りに９０度回転させた状態の水栓本体（第１水栓部品）と接続ソケット（配管部材）の要部斜視図である。
【図９】図６の状態から接続ソケット（配管部材）を右回りに１８０度回転させた状態の水栓本体（第１水栓部品）と接続ソケット（配管部材）の要部斜視図である。
【図１０】クリップ（係止具）の平面図である。
【図１１】クリップ（係止具）の正面図である。
【図１２】クリップ（係止具）の底面図である。
【発明を実施するための形態】
【００１８】
次に、本発明の配管部材の接続構造の実施の形態を図を参考にして詳細に説明する。図１及び図２に示すように、本発明の配管部材の接続構造１は、「第１水栓部品」の一例である湯水混合水栓の水栓本体１０と、「第２水栓部品」の一例である給湯配管・給水配管（図示省略）とをそれぞれ接続する「配管部材」の一例である接続ソケット４０ａ，４０ｂに適用されるものである。より具体的には、本配管部材の接続構造１は水栓本体１０と接続ソケット４０ａ，４０ｂとの接続部分に用いられている。浴室のデッキ面などに開孔された二つの取付孔（図２）に給湯配管・給水配管の端末具がそれぞれ引き込まれているが、これらの二つの端末具の間隔に合わせて、接続ソケット４０ａ，４０ｂの間隔を調整する必要が生ずるため、本接続構造１を適用している。
【００１９】
湯水混合水栓の水栓本体１０は、給湯配管・給水配管から流入される湯・水を、所望の温度となるように適宜量混合して吐水管・シャワー（図示省略）から吐水させるためのものである。水栓本体１０の下部には、それぞれ円筒状に形成され内部に流路が形成されるとともに、湯が流入される湯側の第１配管部材側接続部１２と水が流入される水側の第２配管部材側接続部１４とが突設されている。
【００２０】
第１配管部材側接続部１２と第２配管部材側接続部１４との先端外周面には、第１鍔部１６がそれぞれ周設されている。第１鍔部１６は、図３に示すように、底面から見て前後に僅かな平行部１７を備えたほぼ真円形状に形成されている。そして、第１鍔部１６には、各接続部１２，１４の軸心を中心として対向する位置に、それぞれ接続部１２，１４の軸心方向に沿って３組のビス孔１８ａ，１８ｂ，１８ｃが形成されている。
【００２１】
３組のビス孔１８ａ，１８ｂ，１８ｃは、水栓本体１０の前後方向に沿って設けられた１組のビス孔１８ａと、第１鍔部１６の底面視において、これらのビス孔１８ａから、各接続部１２，１４の軸心を中心として、湯側の第１鍔部１６は左回りに、水側の第１鍔部１６は右回りに、４１．４度回転された位置に設けられた１組のビス孔１８ｂと、第１鍔部１６の底面視において、同様にしてビス孔１８ａから、各接続部１２，１４の軸心を中心として、湯側の第１鍔部１６は左回りに、水側の第１鍔部１６は右回りに、９０度回転された位置に設けられた１組のビス孔１８ｃからなる。また、これらのビス孔１８ａ，１８ｂ，１８ｃは、後述する接続ソケット４０ａ，４０ｂの第２鍔部４８に設けられた挿通孔５０に対応する位置に設けられている。
【００２２】
図１及び図２に示すように、両接続部１２，１４の外周面には、その先端に設けられた第１鍔部１６の部位から基端側に向けて、各接続部１２，１４の軸心を挟んで対向する位置に、軸心に沿って突設されたリブ１９が備えられている。また、リブ１９は水栓本体１０の左右方向（長手方向）に沿ってそれぞれ形成されている。また、リブ１９の接続部１２，１４外周面からの高さは第１鍔部１６の外周縁とほぼ同様に設けられている。後述するように、各接続部１２，１４に取り付けられたクリップ７０は、その連接部７６がこのリブ１９に当接されることにより、接続ソケット４０ａ，４０ｂを回動調整する際に、接続ソケット４０ａ，４０ｂとの共回りが規制されるように設けられている。また、各接続部１２，１４の軸心を挟んで対向する位置に設けることにより、接続ソケット４０ａ，４０ｂをいずれかの方向に回転させて調整し、これに連れてクリップ７０が接続部１２，１４回りにいずれかの方向に共回りしたとしても、およそ１８０度以内においては、共回りしたクリップ７０が対向して形成されたリブ１９のいずれかに当接されて共回りを規制されるように構成されている。
【００２３】
ついで、接続ソケット４０ａ，４０ｂについて説明する。図１及び図２に示すように、接続ソケット４０ａ，４０ｂは、水栓本体１０の第１配管部材側接続部１２または第２配管部材側接続部１４と接続される第１水栓部品側接続部４２と、この第１水栓部品側接続部４２の基端側に、その軸心に対してほぼ直角方向に延設された基体部５２と、基体部５２の基端側から、さらに第１水栓部品側接続部４２の軸心に沿って延設されるとともに給湯配管または給水配管に接続される第２水栓部品側接続部６０とを備えて、全体がほぼクランク状に屈曲形成されている。なお、両接続ソケット４０ａ，４０ｂは同形状に形成されているので、以降の説明は水側の接続ソケット４０ｂについて行い、湯側の接続ソケット４０ａについては同符号を図面に付して説明を省略する。
【００２４】
第１水栓部品側接続部４２の先端側の挿嵌部４４は円筒状に形成され、その外径は水栓本体１０の第２配管部材側接続部１４の内径よりもわずかに小さく設けられている。挿嵌部４４の外周面には二つのＯリング４６が装着されており、挿嵌される第２配管部材側接続部１４の内周面との水密が図られるように構成されている。また、挿嵌部４４が第２配管部材側接続部１４内において回動されても常に水密が図られるように構成されている。
【００２５】
挿嵌部４４の基端側には、第２鍔部４８が周設されている。第２鍔部４８は、図１及び図４に示すように、平面視が「トラック状」に形成されており、図５にも示すように、その長手方向は前述の第１鍔部１６とほぼ同じ長さに設けられている。
【００２６】
図１及び図２に示すように、第１水栓部品側接続部４２の基端側には、第１水栓部品側接続部４２の軸心に対してほぼ直角方向に屈曲して連接される基体部５２が形成されている。
【００２７】
基体部５２の基端側には、第１水栓部品側接続部４２の軸心方向に沿って、基体部５２の長手方向に対してほぼ直角方向に屈曲して連接される第２水栓部品側接続部６０が形成されている。第２水栓部品側接続部６０の外周面には雄ネジが刻設されており、給水配管の端末具に螺着可能に設けられている。また、第２水栓部品側接続部６０の基端側には、底面視において第２水栓部品側接続部６０基端側の外周部及び第１水栓部品側接続部４２の基端側底面を覆うように形成されたフランジ６１が設けられている。
【００２８】
そして図４及び図５に示すように、第２鍔部４８には、挿嵌部４４の軸心を挟んで対向する位置に、二つの挿通孔５０が設けられている。これらの挿通孔５０は、挿嵌部４４を水栓本体１０に挿嵌して挿嵌部４４の軸心回りに接続ソケット４０ｂを回動させることにより第１鍔部１６のビス孔１８ａ，１８ｂ，１８ｃにそれぞれ対応する位置に設けられている。より具体的には、図６から図９に示すように、挿通孔５０をビス孔１８ａ，１８ｂ，１８ｃのいずれかに合わせてビス止めして、水栓本体１０に挿嵌したまま、第１水栓部品側接続部４２を軸心にして接続ソケット４０ａ，４０ｂを回動させることにより、第２水栓部品接続部６０の軸心位置を変更させることができる。図６に示すビス孔１８ａにビス止めする位置を基準にして、図７に示すように底面視右回りに４１．４度回転された位置となるビス孔１８ｂに調整する場合、さらに図８に示すように底面視右回りに９０度回転された位置となるビス孔１８ｃに調整する場合、そして、図９に示すように、図６から１８０度回転させてビス孔１８ａに調整する場合、さらには、図７から１８０度回転させてビス孔１８ｂに調整する場合及び図８から１８０度回転させてビス孔１８ｃに調整する場合の６通りの調整が可能である。さらには、これらの６通りの調整を二つの接続ソケット４０ａ，４０ｂにおいてそれぞれ行い、それぞれの第２水栓部品側接続部６０の軸心位置を調整することができる。
【００２９】
ついで、「係止具」の一例であるクリップ７０について説明する。クリップ７０は図１０から図１２にその詳細が示されるように、１本のステンレス製の線材から形成されている。製造に別途金型を要せず、また袋ナットのようなネジ加工も要しないので、製造コストを低減できる。また、水栓本体１０は水栓カバー（図示省略）により被覆されるカバー水栓であるが、線材を用いて小型にすることにより、水栓カバー内などの狭い空間においても容易に装着することが可能である。そして、クリップ７０は、半円状に形成された第１抱持部７２と、この第１抱持部７２の軸心とほぼ同じ軸心の半円状に形成された第２抱持部７４と、この第１抱持部７２の基端部と第２抱持部７４の基端部とを連接する連接部７６から構成されており、連設部７６を支点にして、第１抱持部７２と第２抱持部７４を弾性的に拡開可能に構成されている。
【００３０】
第１抱持部７２は、図１０に示すように、半円状に形成されており、その内径は半径約１３ｍｍに設けられている。一方、第２抱持部７４は、同様に半円状に形成されており、その内径が半径約１０ｍｍに設けられている。それぞれの内径は、抱持する相手方の部位の外径に対応するように設けられており、第１抱持部７２は、水栓本体１０の第１配管部材側接続部１２または第２配管部材側接続部１４の第１鍔部１６よりも基端側の部位の外径にほぼ合致する内径に設けられている。また、第２抱持部７４は接続ソケット４０ａ，４０ｂの基体部５２の外径にほぼ合致する内径に設けられている。
【００３１】
第１抱持部７２と第２抱持部７４とは、図１１に示すように、正面視「コ字」状に形成された連接部７６により連接されている。連接部７６は「コ字」状に形成された上部端部７７に第１抱持部７２が連接され、下部端部７８に第２抱持部７４が連接されている。このように、連接部７６の上端部に、水栓本体１０側の接続部１２，１４に装着される第１抱持部７２が連接され、連接部７６の下端部に、接続ソケット４０ａ，４０ｂ側の基体部５２に装着される第２抱持部７４が連接されている。
【００３２】
クリップ７０はこのように構成され、水栓本体１０の第１鍔部１６及び接続ソケット４０ａ，４０ｂの第２鍔部４８を挟持固定することにより、両部材の抜け止めを確実になすことが可能である。一方で、第１抱持部７２及び第２抱持部７４を半円状に形成するにとどめているので、水栓本体１０及び接続ソケット４０ａ，４０ｂに装着・抱持させる際に、必要以上に両抱持部７２，７４を拡開させる必要が無く、このためクリップ７０を容易に装着・抱持させることが可能である。
【００３３】
さらにまた、第１抱持部７２および第２抱持部７４のそれぞれの先端には、それぞれ外周方向に向けて湾曲形成された湾曲部７３，７５が形成されており、クリップ７０の装着の際に、各接続部１２，１４は第１抱持部７２に、基体部５２は第２抱持部７４に先端が引っ掛からず円滑に装着ができるように構成されている。
【００３４】
ついで、本配管部材の接続構造１を用いて水栓本体１０と接続ソケット４０ａ，４０ｂとを組み付けると共に、給湯配管・給水配管との間隔に合わせて接続ソケット４０ａ，４０ｂを調整する方法について説明する。水栓本体１０および接続ソケット４０ａ，４０ｂの出荷時には、両部材はクリップ７０により仮止めした状態とされている。すなわち、接続ソケット４０ａ，４０ｂの挿嵌部４４を水栓本体１０側の接続部１２，１４内に挿嵌した上で第１鍔部１６および第２鍔部４８をクリップ７０によって挟持固定して、水栓本体１０と接続ソケット４０ａ，４０ｂとを抜け止めしておく。この状態においては、水栓本体１０と接続ソケット４０ａ，４０ｂとは、ビス２により固定されていないので、水栓本体１０に対して、接続ソケット４０ａ，４０ｂは回転可能であるが、クリップ７０により容易には抜脱されない。
【００３５】
クリップ７０は前述したように構成されており、第１抱持部７２と第２抱持部７４の先端を弾性的に拡開するようにして、水栓本体１０と接続ソケット４０ａまたは接続ソケット４０ｂにその側方から装着される。第１抱持部７２は、第１鍔部１６よりも基端側の配管部材側接続部１２，１４周りに抱持し、第２抱持部７４は基体部５２周りに抱持し、水栓本体１０と接続ソケット４０ａまたは接続ソケット４０ｂとが回動可能に挟持固定される。
【００３６】
そして、施工現場においては、クリップ７０により水栓本体１０に対して挿嵌状態を保持された接続ソケット４０ａ，４０ｂを、給湯配管および給水配管の端末具の位置に合わせる。より具体的には、浴室のデッキ面等に開孔された取付孔内に給湯配管・給水配管の端末具が引き込まれているので、接続ソケット４０ａ，４０ｂの第２水栓部品側接続部６０がこれらの端末具に接続可能となるように、二つの接続ソケット４０ａ，４０ｂの間隔を調整する。
【００３７】
この際に、クリップ７０により仮止めされたままの状態で、水栓本体１０に対して、第１水栓部品側接続部４２を軸心にして接続ソケット４０ａまたは接続ソケット４０ｂを回動して、第２水栓部品側接続部６０の軸心位置を調整する。第１鍔部１６のビス孔１８ａ，１８ｂ，１８ｃの何れかの位置に第２鍔部４８の挿通孔５０の位置を合わせながら両第２水栓部品側接続部６０間の間隔を、給湯配管・給水配管の端末具間の間隔に調整する。調整終了後にビス２により両鍔部１６，４８を完全に固定して調整・組み付け作業が完了する。
【００３８】
このように、Ｏリング４６が取り付けられた接続ソケット４０ａ，４０ｂの挿嵌部４４は、あらかじめ水栓本体１０側の配管部材側接続部１２，１４内に挿嵌されたまま水栓本体１０及び接続ソケット４０ａ，４０ｂが組み付けられた状態で設置場所まで搬送することが可能であり、また、設置場所における接続ソケット４０ａ，４０ｂの間隔調整も、挿嵌部４４を配管部材側接続部１２，１４内に挿嵌したまま行うことができる。よって、出荷〜調整作業〜組み付け作業のいずれにおいてもＯリング４６が外部に露呈されるおそれは極めて少なく、Ｏリング４６に異物が付着したりＯリング４６が損傷するなどしてシール不良となるおそれを著しく減少させることができる。
【００３９】
なお、本発明は上記した実施の形態に限られるものではなく、本発明の趣旨の範囲内で種々の変更が可能である。例えば、第１鍔部１６または第２鍔部４８のビス孔及び挿通孔の位置は、種々変更して良く、第１鍔部１６のビス孔の数を増減しても良い。また、前述の例では挿嵌部４４を接続ソケット４０ａ，４０ｂ側に設けたが、水栓本体１０側に設けることとしても良い。また、クリップ７０の第１抱持部７２および第２抱持部７４の位置は、抱持する各接続部に対応して変更が可能であり、これらを上下で入れ替えたり、左右で入れ替えるなどしても良い。また、請求項３以外の発明では他の形状の係止具でも良く、また請求項４以外の発明では線材を用いない係止具でも良い。
【産業上の利用可能性】
【００４０】
本発明は、給水栓本体等の第１水栓部品と給湯配管・給水配管等の第２水栓部品とを接続する配管部材の接続構造に広く利用することができる。
【符号の説明】
【００４１】
１；接続構造、２；ビス、１０；水栓本体、１２；第１配管部材側接続部、１４；第２配管部材側接続部、１６；第１鍔部、１７；平行部、１８ａ，１８ｂ，１８ｃ；ビス孔、リブ１９、 ４０ａ，４０ｂ；接続ソケット、４２；第１水栓部品側接続部、４４；挿嵌部、４６；Ｏリング、４８；第２鍔部、５０；挿通孔、５２；基体部、６０；第２水栓部品側接続部、６１；フランジ、７０；クリップ、７２；第１抱持部、７３；湾曲部、７４；第２抱持部、７５；湾曲部、７６；連接部、７７；上部端部、７８；下部端部。
【図１】
0005399810.tif 000002
【図２】
0005399810.tif 000003
【図３】
0005399810.tif 000004
【図４】
0005399810.tif 000005
【図５】
0005399810.tif 000006
【図６】
0005399810.tif 000007
【図７】
0005399810.tif 000008
【図８】
0005399810.tif 000009
【図９】
0005399810.tif 000010
【図１０】
0005399810.tif 000011
【図１１】
0005399810.tif 000012
【図１２】
0005399810.tif 000013